(57)【特許請求の範囲】
【請求項１】
筒状のフィルム体により紙製衛生物品を包装する包装袋であって、
前記筒状のフィルム体の一端部を融着して封止されて形成された底部と、
前記筒状のフィルム体の他端部がガセット折された状態で接着された把持部と、
前記把持部の長手方向に沿って指を挿通させる一対の指掛穴と、を備え、
前記把持部は、前記指掛穴の間に位置する短手方向の領域を除く一部分を網点接着された網点接着部と、前記網点接着部の下端側に前記網点接着部よりも強い接着力で接着された接着部とを有し、
前記指掛穴は、縁部の少なくとも一部分が融着されており、
前記筒状のフィルム体の内部であって前記底部と前記把持部との間に前記紙製衛生物品が収納されていることを特徴とする包装袋。
【請求項２】
前記把持部は、切込部を有し、前記指掛穴の下端側に接する長手方向の領域であって、前記切込部を含む領域を除く一部分が網点接着されていることを特徴とする請求項１に記載の包装袋。
【発明の詳細な説明】
【技術分野】
【０００１】
本発明は、紙製衛生物品の包装袋に関する。
【背景技術】
【０００２】
従来、トイレットペーパー、キッチンペーパー等のロール状の紙製衛生物品を、例えば、１２個、１６個等の複数個を段積みして、１パックとして包装するポリエチレンフィルム等のフィルム体からなる包装袋が知られている。
図７（ａ）〜（ｄ）に、従来の包装袋による紙製衛生物品の包装方法の模式図を示す。
フィルム体の包装袋は、トイレットペーパー等のロール状の紙製衛生物品が挿入される前に、予め把持部が設けられている（図７（ａ）参照）。そして、包装袋は、包装袋の長手方向に沿ってトイレットペーパーが挿入（図７（ｂ）参照）された後に、開口部が封止され（図７（ｃ）参照）、包装袋の底部が形成されている（図７（ｄ）参照）。
このようなロール状の紙製衛生物品を収納する包装袋は、購入した消費者が持ち運ぶ際に紙製衛生物品の荷重を支える強度を維持しながら、開封しやすいことが望ましい。
このため、例えば、持ち運ぶ際に指を掛ける指掛穴の上方に開封用のミシン目を予め形成しておくことで、消費者が持ち運ぶ際に包装袋を誤って破いてしまうことがなく、開封時に小さい力で開封することができる技術が提案されている（例えば、特許文献１）。また、持ち運ぶ際に消費者が指掛穴に掛ける指が痛くなりにくくする技術が提案されている（例えば、特許文献２）。
【先行技術文献】
【特許文献】
【０００３】
【特許文献１】特開２００４−２６９０１０号公報
【特許文献２】特許第４３５０４３０号
【発明の概要】
【発明が解決しようとする課題】
【０００４】
一方、経済的な合理性が求められる昨今、１パックに含まれる紙製衛生物品が多い商品や、紙製衛生物品の１ロール当たりの巻長さが長い商品の需要拡大が予想される。例えば、ロール状の紙製衛生物品の１ロール当たりの巻長さを増やした場合、紙製衛生物品自体の大きさが大きくなり、重量も重くなる。
しかし、特許文献１、２に記載の包装方法では、予め把持部が設けられた包装袋に紙製衛生物品を挿入した後、底部を融着する方法となっているため、紙製衛生物品の大きさにばらつきがあると、包装袋の底部における融着部分の面積にもばらつきが生じてしまい、底部の強度にばらつきが生じるという問題がある。
従って、包装袋に挿入される紙製衛生物品の重量が重くなると、包装袋の底部の強度のばらつきに起因して、包装袋の底部の底抜けの危険性が高まるという問題がある。
【０００５】
本発明の課題は、従来よりも重い紙製衛生物品を包装する場合であっても、持ち運ぶ際に包装袋の底抜けを防止することができる紙製衛生物品の包装袋を提供することである。
【課題を解決するための手段】
【０００６】
前記課題を解決するために、請求項１に記載の発明は、
筒状のフィルム体により紙製衛生物品を包装する包装袋であって、
前記筒状のフィルム体の一端部を融着して封止されて形成された底部と、
前記筒状のフィルム体の他端部がガセット折された状態で接着された把持部と、
前記把持部の長手方向に沿って指を挿通させる一対の指掛穴と、を備え、
前記把持部は、前記指掛穴の間に位置する短手方向の領域を除く一部分を網点接着された網点接着部と、前記網点接着部の下端側に前記網点接着部よりも強い接着力で接着された接着部とを有し、
前記指掛穴は、縁部の少なくとも一部分が融着されており、
前記筒状のフィルム体の内部であって前記底部と前記把持部との間に前記紙製衛生物品が収納されていることを特徴とする。
【０００７】
請求項２に記載の発明は、請求項１に記載の紙製衛生物品の包装袋であって、
前記把持部は、切込部を有し、前記指掛穴の下端側に接する長手方向の領域であって、前記切込部を含む領域を除く一部分が網点接着されていることを特徴とする。
【発明の効果】
【００１０】
請求項１に記載の発明によれば、従来よりも重い紙製衛生物品を包装する場合であっても、持ち運ぶ際に包装袋の底抜けを防止することができる。
【００１１】
請求項２に記載の発明によれば、請求項１と同様の効果を得られるのは勿論のこと、包装袋を開封する際に容易に開封することができる。
【００１２】
請求項３に記載の発明によれば、請求項１と同様の効果を得られるのは勿論のこと、開封する際に、包装袋を容易に引き裂き、開封することができる。
【００１３】
請求項４に記載の発明によれば、請求項１と同様の効果を得られるのは勿論のこと、包装袋を開封する際に容易に開封することができる。
【図面の簡単な説明】
【００１４】
【図１】本発明の一実施形態に係る包装袋の斜視図である。
【図２】図１の包装袋の把持部を示す拡大模式図である。
【図３】紙製衛生物品の包装方法を示す模式図である。
【図４】変形例１における包装袋の把持部を示す拡大模式図である。
【図５】変形例２における包装袋の把持部を示す拡大模式図である。
【図６】変形例３における包装袋の把持部を示す拡大模式図である。
【図７】従来の紙製衛生物品の包装方法を示す模式図である。
【発明を実施するための形態】
【００１５】
＜実施形態１＞
以下、本発明の実施形態を、図面を用いて詳細に説明する。ただし、発明の範囲は、図示例に限定されない。
【００１６】
図１に示すように、包装袋１は、紙製衛生物品として、トイレットペーパー、ペーパータオルなどのロール紙を段積みして筒状のポリエチレンフィルム等（以下、フィルム体２
）で包装したものであり、ロール紙を収容する袋本体２０と、フィルム体２の一端部を接着させて形成された略矩形状の把持部３と、フィルム体２の他端部を融着させて形成された底部４を備えている。以下の説明においては、ロール紙が段積みされている方向を包装袋１の長手方向（Ｚ方向）とし、長手方向に直交し、把持部３の平面に沿った方向を幅方向（Ｘ方向）とし、長手方向及び幅方向に直交する方向を奥行方向（Ｙ方向）とする。また、把持部３側を上端側、底部４側を下端側として説明する。
なお、紙製衛生物品としては、トイレットペーパー、ペーパータオル等のロール紙の他、ティッシュペーパーが収納されたカートン、紙おむつ、吸収性パッド、生理用品などの吸収性物品が含まれる。以下の説明においては、一例として、紙製衛生物品をトイレットペーパーＰとして説明する。
【００１７】
この包装袋１は、例えば、筒状のフィルム体２（２ａ〜２ｄ）のＺ方向に沿って、内側に折り込みを形成させる、ガセット（Gusset）折（図２（ａ）参照）を一対形成させて、下端側を融着し、トイレットペーパーＰを収納した際に底部４となる部分が形成される（図３（ａ）参照）。そして、トイレットペーパーＰが包装袋１のＺ方向に沿って挿入され（図３（ｂ）参照）、包装袋１のガセット折された上端側が網点ヒートエンボス接着されて、把持部３が形成される（図３（ｃ）参照）。
より具体的には、図２（ａ）に示すように、包装袋１の下端部は、例えば、包装袋１の側面のフィルム体２ｃ、２ｄがガセット折される。ガセット折されたフィルム体２ｃ、２ｄは、フィルム体２ａ、２ｂに折り込まれ、融着される。融着された下端側は、トイレットペーパーＰを収納する際に底部４として機能する（図３（ｄ）参照）。なお、底部４の融着方法は、ガセット折に限定するものではなく、例えば、三方シール、ピロー包装、スタンディングパウチ等の融着方法を応用してもよく、包装袋１に収納されるトイレットペーパーＰの荷重に耐えられる十分な融着強度を確保できる方法であればよい。これにより、底部４は、包装袋１に収納されるトイレットペーパーＰ等の内容物重量の２倍以上の融着強度を確保することができる。ここで、融着とは、ヒートシールや超音波シールなどの溶融接着を表している。
【００１８】
把持部３は、図１に示すように、把持部３の略中央付近にＸ方向に沿って設けられた一対の指掛穴３ａ、３ａと、包装袋１のＸ方向の一端部に設けられた切込部３ｂと、包装袋１の側面のフィルム体２ｃ、２ｄがガセット折され、対向するフィルム体２ａ、２ｂがフィルム体２ｃ、２ｄを折り込んで、把持部３の指掛穴３ａ、３ａを含む所定の領域に設けられた網点ヒートエンボス接着により接着された接着部３ｃと、を備えている。
【００１９】
指掛穴３ａ、３ａは、図１に示すように、把持部３の所定位置に２個設けられている。具体的には、指掛穴３ａ、３ａは、把持部３の略中央から把持部３の平面に沿ってＸ方向に略均等な位置に配置されている。また、各指掛穴３ａ、３ａの縁部の一部が融着されている。これにより、指掛穴３ａ、３ａの強度が増すこととなり、トイレットペーパーＰが収納された包装袋１を持ち運ぶ際に、指掛穴３ａ、３ａにかかる力により引き裂かれることを防ぐことができる。なお、指掛穴３ａ、３ａの縁部において融着させる部分は、収納するトイレットペーパーＰの荷重に応じて変化させてもよく、縁部全体を融着させてもよい。
【００２０】
切込部３ｂは、把持部３におけるＸ方向の一端部に切り込むように形成された切込部である。具体的には、切込部３ｂは、図２（ｂ）に示すように、指掛穴３ａ、３ａの縁部の下端側とほぼ同じ高さに位置するように設けられている。なお、切込部３ｂは、把持部３のＸ方向の一端部に設けるよう説明したが、把持部３の両端部に一対となるように設けてもよい。
【００２１】
接着部３ｃは、ガセット折されたフィルム体２ｃ、２ｄを挟んで、対向するフィルム体
２ａ、２ｂが網点接着により接着されている接着部である。例えば、接着部３ｃは、ドットや短線等の網点状にヒートエンボス接着（網点ヒートエンボス接着）をすることで、剥離可能に接着されている。ここで、網点ヒートエンボス接着とは、網点状に所定の圧着加工を施すことにより対向面と熱融着させる接着方法であり、ヒートシールや超音波シールなどの溶融融着よりも接着させた対向面を容易に剥離させることができる接着方法である。
【００２２】
以下、包装袋１により紙製衛生物品、例えば、トイレットペーパーＰを包装する方法について、図３（ａ）〜（ｄ）を参照して説明する。
【００２３】
まず、筒状のフィルム体２の一端部を融着して封止する。具体的には、図３（ａ）に示すように、筒状のフィルム体２をガセット折にし、ガセット折されたフィルム体２の一端部の所定範囲を融着し、封止する（封止工程）。ここで、所定範囲とは、包装袋１に収納されるトイレットペーパーＰの荷重に耐えられる十分な融着面積を確保できる範囲である。
【００２４】
続いて、一端部が封止されたフィルム体２の内部にトイレットペーパーＰを挿入する（挿入工程）。具体的には、図３（ｂ）に示すように、一端部が封止されたフィルム体２の内部にトイレットペーパーＰを、例えば、１段に４個のトイレットペーパーＰを３段段積みにして挿入する。
【００２５】
そして、トイレットペーパーＰが挿入されたフィルム体２の他端部をガセット折に接着して把持部３を形成する（把持部形成工程）。具体的には、図３（ｃ）に示すように、トイレットペーパーＰが挿入されたフィルム体２の他端部をガセット折にし、把持部３の一部分を網点ヒートエンボス接着する。そして、指を挿通させる指掛穴３ａ、３ａを形成し、指を挿通させる指掛穴３ａ、３ａの縁部を融着する。これにより、開封のしやすさと、持ち運ぶ際に指掛穴３ａ、３ａにかかる力を支えるために必要な強度を備える。
なお、指掛穴３ａ、３ａを形成した後に、当該指掛穴３ａ、３ａの縁部を融着する場合について説明したが、一例であって、指掛穴３ａ、３ａとなる部分の縁部を融着した後に、指掛穴３ａ、３ａを形成してもよい。
【００２６】
以上のように、本実施形態の包装方法によれば、筒状のフィルム体２によりトイレットペーパーＰを包装し、筒状のフィルム体２の一端部を融着して封止し、一端部が封止されたフィルム体２の内部にトイレットペーパーＰを挿入し、トイレットペーパーＰが挿入されたフィルム体２の他端部をガセット折に接着して把持部３を形成するので、底部４の融着面積を予め確保することができ、底部４の強度がばらつくことがない。
従って、従来よりも重いトイレットペーパーＰを包装する場合であっても、持ち運ぶ際に包装袋１の底抜けを防止することができる。
【００２７】
また、把持部３の少なくとも一部分を網点接着し、把持部３に指を挿通させる指掛穴３ａ、３ａを形成し、指掛穴３ａ、３ａの縁部の少なくとも一部分を融着するので、包装袋１を開封する際に容易に開封することができ、持ち運ぶ際に指掛穴３ａ、３ａにかかる力により包装袋１が引き裂かれることを防ぐことができる。
【００２８】
また、網点接着が網点ヒートエンボス接着であるので、開封する際に、包装袋１を容易に引き裂き、開封することができる。
【００２９】
＜変形例１＞
上記実施形態１において、把持部３の接着部のうち、接着させない領域を設けてもよい。具体的には、図４に示すように、指掛穴３ａ、３ａの下端側であって切込部３ｂを含む
領域を接着させない領域３ｆとして設けるとともに、把持部３の接着部として、把持部３の上端側から指掛穴３ａ、３ａを含み、指掛穴３ａ、３ａの下端までの領域３ｄと、指掛穴３ａ、３ａの下端側であって、接着させない領域３ｆよりも下端側の領域３ｅと、を接着部３ｄ、３ｅとして設ける。これにより、切込部３ｂからＸ方向に力を入れ把持部３の切込部３ｂよりも上端側を切り離した後、接着させない領域３ｆから指を入れ、接着部３ｅを剥離し、包装袋１を容易に開封することができる。
【００３０】
＜変形例２＞
上記実施形態１において、把持部３の接着部のうち、接着させない領域を設けるとともに、網点ヒートエンボス接着よりも接着力の強い接着方法により接着領域を設けてもよい。具体的には、図５に示すように、各指掛穴３ａ、３ａの周囲を接着する接着部３ｇ、３ｇを設けるとともに、１対の指掛穴３ａ、３ａの間に接着させない領域３ｉを設ける。接着させない領域３ｉは、指掛穴３ａ、３ａの上端付近から把持部３の上端側にかけて徐々に広がるように設ける。この場合、指掛穴３ａ、３ａに対して下端側であって、接着部３ｇ、３ｇの下端側に網点ヒートエンボス接着よりも接着力の強い公知の方法により接着する接着部３ｈ、３ｈを接着部３ｇ、３ｇに重ねて設ける。なお、接着部３ｇ、３ｇと接着部３ｈ、３ｈを重ねて設ける構成ではなく、接着部３ｇ、３ｇの接着強度を把持部３の上端側から下端側に向かって徐々に強くする構成でもよい。これらにより、開封する際に、接着させない領域３ｉの把持部３の上端側であって、広がっている部分を持ち、下端側へ力を入れることにより、包装袋１を容易に引き裂くことができる。
【００３１】
＜変形例３＞
上記実施形態１において、図６に示すように、１対の指掛穴３ａ、３ａにかえて、指掛穴３ａ、３ａにあたる部分とその間の部分に１つの指掛穴３ｊを、縁部を融着させずに形成させ、指掛穴３ｊに対して下端側の略中央を接着させない領域３ｍとし、当該接着させない領域３ｍを挟んだ１対の接着部３ｋ、３ｋを網点ヒートエンボス接着する構成としてもよい。これにより、開封する際に、１対の接着部３ｋ、３ｋの間に位置する接着させない部分に力を入れやすく、１対の接着部３ｋ、３ｋに効果的に力を伝えることができるため容易に開封することができる。
【符号の説明】
【００３２】
１  包装袋
２（２ａ，２ｂ，２ｃ，２ｄ）  フィルム体
３  把持部
３ａ、３ｊ  指掛穴
３ｂ  切込部
３ｃ、３ｄ、３ｅ、３ｇ、３ｈ、３ｋ  接着部
４  底部
Ｐ  トイレットペーパー（紙製衛生物品）
【図１】
0005948274.tif 000002
【図２】
0005948274.tif 000003
【図３】
0005948274.tif 000004
【図４】
0005948274.tif 000005
【図５】
0005948274.tif 000006
【図６】
0005948274.tif 000007
【図７】
0005948274.tif 000008